(57)【要約】【課題】現場や工場等において軒天井に野縁等の軒天井下地を取り付けることなく、これにより軒天井下地を外壁や屋根等に取り付けるという煩雑な現場作業を省きながら、軒天井を取り付けること。【解決手段】外壁より外側に突出する屋根の軒先部に取り付けられた軒天井の取付構造である。軒天井の軒先側端部を嵌め込み可能な第１の凹状部を有する第１の取付部材を、屋根の軒先部に設けられた鼻隠に固定し、軒天井の外壁側端部を嵌め込み可能な第２の凹状部を有する第２の取付部材を外壁に固定する。第１の取付部材の鼻隠に対する固定は、第１の取付部材に形成された係合部と鼻隠に形成された被係合部とが互いに係合することで行われている。【選択図】      図１
2004225289.tif 000002
【特許請求の範囲】
【請求項１】
外壁より外側に突出する屋根の軒先部に取り付けられた軒天井の取付構造であって、
前記軒天井の軒先側端部を嵌め込み可能な第１の凹状部を有し、前記屋根の軒先部に設けられた鼻隠に固定される第１の取付部材と、
前記軒天井の外壁側端部を嵌め込み可能な第２の凹状部を有し、前記外壁に固定される第２の取付部材とを備えることを特徴とする軒天井の取付構造。
【請求項２】
前記第１の取付部材の前記鼻隠に対する固定は、前記第１の取付部材に形成された係合部と前記鼻隠に形成された被係合部とが互いに係合することで行われていることを特徴とする請求項１に記載の軒天井の取付構造。
【請求項３】
前記係合部と前記被係合部との係合は、前記第１の凹状部が、前記外壁側に開口する位置と前記屋根の棟部側に開口する位置との間で回動可能となされた状態で行われていることを特徴とする請求項２に記載の軒天井の取付構造。
【請求項４】
前記係合部と前記被係合部との係合は、前記軒先の延在する方向に沿ってスライド係入することで行われていることを特徴とする請求項２又は請求項３に記載の軒天井の取付構造。
【請求項５】
前記第１の取付部材の前記鼻隠に対する固定は、前記第１の取付部材が前記鼻隠によって外側に露出しない状態に隠される位置で行われていることを特徴とする請求項１〜請求項４のいずれか一項に記載の軒天井の取付構造。
【請求項６】
前記鼻隠には、軒天井裏に通気するための通気孔が設けられていることを特徴とする請求項１〜請求項５のいずれか一項に記載の軒天井の取付構造。
【請求項７】
前記鼻隠には、火災時に発泡して前記通気孔を塞ぐ防火発泡材が設けられていることを特徴とする請求項６に記載の軒天井の取付構造。
【請求項８】
前記外壁の軒先側表面には外装面材が設けられ、
前記第２の取付部材の前記外壁に対する固定は、前記外装面材の上端部に当接した状態で行われていることを特徴とする請求項１〜請求項７のいずれか一項に記載の軒天井の取付構造。
【請求項９】
前記軒先の延在する方向に沿って複数の軒天井が連結されて配設され、この連結部は下方に撓まない状態に前記屋根から吊下部材によって吊り下げられていることを特徴とする請求項１〜請求項８のいずれか一項に記載の軒天井の取付構造。
【請求項１０】
前記吊下部材はその下端部に、対向する軒天井の端部それぞれに係合する係合部を有し、
前記複数の軒天井の連結は前記係合部によって行われていることを特徴とする請求項９に記載の軒天井の取付構造。
【請求項１１】
前記吊下部材は、その長さを調整可能であることを特徴とする請求項９又は請求項１０に記載の軒天井の取付構造。
【発明の詳細な説明】
【０００１】
【発明の属する技術分野】
本発明は、住宅等に設けられる軒天井の取付構造に関する。
【０００２】
【背景の技術】
近年、住宅の構築においては、いわゆるプレハブ化が進み、特に最近は洗練された住戸プランが多く生み出され、工期とともにデザイン性も注目されている。プレハブ化工法においては、壁、床等がユニット化された壁パネルや床パネルが用いられ、これらを用いるパネル工法は、工期短縮の真髄とも言える。一方、住宅の構築工程の中には、住戸プランの多様性等から、ユニット化して組み立てにくい工程も存在する。このうちの一つが軒天井の取付工程であるが、この軒天井とは一般に、建物の屋根のうちこの屋根を支持する外壁より軒先部側の下方に取り付けられるものである。
【０００３】
従来一般の軒天井の取付方法としては、例えば、野縁材を軒天井材の上面に取り付け、この野縁材を屋根等から吊木によって吊るという方法がある。しかしながら従来一般の方法においては、野縁材や吊木を取り付ける現場作業が多く、施工性が悪いという欠点があった。
【０００４】
この点に鑑みてなされた発明の一つに、以下に示す特許文献１に記載の技術がある。特許文献１に記載の技術においては、外壁に対して軒天井取付金物を固定するとともに軒天井の外壁側端部に対して水平部材を固定し、この水平部材を軒天井取付金物に嵌合させている。この技術によって、軒天井の外壁側端部を外壁に支持させる作業が容易化されている。
【０００５】
【特許文献１】
特開平０７−３２４４３１号公報、段落〔０００３〕〜〔００１７〕、第１図〜第４図
【０００６】
【発明が解決しようとする課題】
ところで、特許文献１に記載の技術においては、段落〔００１１〕〜〔００１３〕に示すように、軒天井の軒先側端部における取り付けは以下のようにして行っている。すなわち、軒天井に予め取り付けられた軒天井下地の軒先側端部に鼻板を取り付け、この鼻板を屋根にビス等によって固定している。
【０００７】
すなわち、特許文献１に記載の技術においては、軒天井に予め軒天井下地を設けておくという手間があるとともに、軒天井の軒先側端部における取り付けにおいて、鼻板を屋根に対してビス等によって固定するという煩雑な現場作業が発生している。
【０００８】
本発明の課題は、現場や工場等において軒天井に野縁等の軒天井下地を取り付けることなく、これにより軒天井下地を外壁や屋根等に取り付けるという煩雑な現場作業を省きながら、軒天井を取り付けることを可能とする軒天井の取付構造を提供することである。
【０００９】
【課題を解決するための手段】
上記課題を解決するために、請求項１に記載の発明は、例えば図１〜図４に示すように、
外壁（外壁パネル１１）より外側に突出する屋根（屋根パネル１２）の軒先部１０に取り付けられた軒天井１８の取付構造であって、
前記軒天井１８の軒先側端部１８ａを嵌め込み可能な第１の凹状部（本体部１６ａ）を有し、前記屋根（屋根パネル１２）の軒先部１０に設けられた鼻隠１４に固定される第１の取付部材１６と、
前記軒天井１８の外壁側端部１８ｂを嵌め込み可能な第２の凹状部（天井取付部材１７ａ）を有し、前記外壁（外壁パネル１１）に固定される第２の取付部材１７とを備えることを特徴としている。
【００１０】
請求項１に記載の発明によれば、前記軒天井１８の取り付けが、その軒先側端部１８ａが前記鼻隠１４に固定される第１の取付部材１６の第１の凹状部（本体部１６ａ）に嵌め込まれ、端部１８ｂが前記外壁（外壁パネル１１）に固定される第２の取付部材１７の第２の凹状部（天井取付部材１７ａ）に嵌め込まれて行われる。したがって、現場や工場等において軒天井１８に野縁等の軒天井下地を取り付けることなく、これにより軒天井下地を外壁（外壁パネル１１）や屋根（屋根パネル１２）等に取り付けるという煩雑な現場作業を省きながら、軒天井１８を取り付けることができる。
【００１１】
請求項２に記載の発明は、例えば図２に示すように、請求項１に記載の軒天井１８の取付構造において、
前記第１の取付部材１６の前記鼻隠１４に対する固定は、前記第１の取付部材１６に形成された係合部（係止部１６ｂ）と前記鼻隠１４に形成された被係合部（切込部１４ｃ２）とが互いに係合することで行われていることを特徴としている。
【００１２】
請求項２に記載の発明によれば、前記第１の取付部材１６に形成された係合部（係止部１６ｂ）と前記鼻隠１４に形成された被係合部（切込部１４ｃ２）とを互いに係合することで前記第１の取付部材１６を前記鼻隠１４に対して固定することができるため、軒天井１８の取り付けをさらに容易に行うことができる。
【００１３】
請求項３に記載の発明は、例えば図２（ｃ）、図２（ｄ）に示すように、請求項１又は請求項２に記載の軒天井１８の取付構造において、
前記係合部（係止部１６ｂ）と前記被係合部（切込部１４ｃ２）との係合は、前記第１の凹状部（本体部１６ａ）が、前記外壁（外壁パネル１１）側に開口する位置と前記屋根（屋根パネル１２）の棟部側に開口する位置との間で回動可能となされた状態で行われていることを特徴としている。
【００１４】
請求項３に記載の発明によれば、前記第１の凹状部（本体部１６ａ）は、前記外壁（外壁パネル１１）側に開口する位置と前記屋根（屋根パネル１２）の棟部側に開口する位置との間で回動可能である。これにより、前記第１の取付部材１６は、軒天井１８を略水平に配設する場合と屋根（屋根パネル１２）に沿って配設する場合との双方において、軒天井１８の軒先側端部１８ａを嵌め込むことができる。すなわち、前記第１の取付部材１６は、軒天井１８を略水平に配設する場合と屋根（屋根パネル１２）に沿って配設する場合との双方において、同一の部材で対応できる。
【００１５】
請求項４に記載の発明は、例えば図２（ｂ）に示すように、請求項２又は請求項３に記載の軒天井１８の取付構造において、
前記係合部（係止部１６ｂ）と前記被係合部（切込部１４ｃ２）との係合は、前記軒先の延在する方向に沿ってスライド係入することで行われていることを特徴としている。
【００１６】
請求項４に記載の発明によれば、前記係合部（係止部１６ｂ）と前記被係合部（切込部１４ｃ２）とは、前記軒先の延在する方向に沿ってスライド係入することで係合している。このスライド係入作業は、軒先の延在する方向に沿って連続して複数の軒天井１８を配設して行く際に、作業員に大きな負担を生じさせずに行うことができる。したがって、軒天井１８の取り付けをさらに容易に行うことができる。
【００１７】
請求項５に記載の発明は、例えば図１〜図４に示すように、請求項１〜請求項４のいずれか一項に記載の軒天井１８の取付構造において、
前記第１の取付部材１６の前記鼻隠１４に対する固定は、前記第１の取付部材１６が前記鼻隠１４によって外側に露出しない状態に隠される位置で行われていることを特徴としている。
【００１８】
請求項５に記載の発明によれば、前記第１の取付部材１６が前記鼻隠１４によって外側に露出しない状態に隠されているので、見栄えを良好とすることができる。
【００１９】
請求項６に記載の発明は、図２（ａ）、図２（ｂ）に示すように、請求項１〜請求項５のいずれか一項に記載の軒天井１８の取付構造において、
前記鼻隠１４には、軒天井裏１９に貫通する通気孔１４ｃ３が設けられていること特徴としている。
【００２０】
請求項６に記載の発明によれば、前記鼻隠１４に設けられた通気孔１４ｃ３によって軒天井裏１９の通気が行われる。これにより、軒天井裏１９に通気を行うために軒天井１８を有孔板とする必要がない。したがって、軒天井１８の材料コストを低減することができる。
【００２１】
請求項７に記載の発明は、例えば図１〜図４に示すように、請求項６に記載の軒天井１８の取付構造において、
前記鼻隠１４には、火災時に発泡して前記通気孔１４ｃ３を塞ぐ防火発泡材１４ｃ４が設けられていることを特徴としている。
【００２２】
請求項７に記載の発明によれば、火災時には、前記鼻隠１４に設けられた防火発泡材１４ｃ４が発泡することで前記通気孔１４ｃ３が塞がれる。したがって、火災時に軒天井裏１９への延焼を防止して建物（住宅１００）の耐火性能を向上させることができる。
【００２３】
請求項８に記載の発明は、例えば図１、図３、図５に示すように、請求項１〜請求項７のいずれか一項に記載の軒天井１８の取付構造において、
前記外壁（外壁パネル１１）の軒先部１０側表面には外装面材（サイディング１１ｃ）が予め設けられ、
前記第２の取付部材１７の前記外壁（外壁パネル１１）に対する固定は、前記外装面材（サイディング１１ｃ）の上端部１１ｃ１に当接した状態で行われていることを特徴としている。
【００２４】
請求項８に記載の発明によれば、前記外壁（外壁パネル１１）の軒先部１０側表面に予め設けられる外装面材（サイディング１１ｃ）の上端部１１ｃ１位置を所定高さ、すなわち軒天井１８を配設する高さに設定しておくことで、この外装面材（サイディング１１ｃ）の上端部１１ｃ１に当接した状態で行われる前記第２の取付部材１７の位置決めを行い、これにより前記第２の取付部材１７の前記外壁（外壁パネル１１）に対する固定を迅速に行うことができる。
【００２５】
請求項９に記載の発明は、例えば図４、図５に示すように、請求項１〜請求項８のいずれか一項に記載の軒天井１８の取付構造において、
前記軒先部５０の延在する方向に沿って複数の軒天井１８が連結されて配設され、この連結部２０は下方に撓まない状態に前記屋根（屋根パネル１２）から吊下部材２１によって吊り下げられていることを特徴としている。
【００２６】
請求項９に記載の発明によれば、前記軒先部５０の延在する方向に沿って連結されて配設された複数の軒天井１８の連結部２０が、下方に撓まない状態に前記屋根（屋根パネル１２）から吊下部材２１によって吊り下げられている。すなわち、軒先部５０の延在する方向に沿って連続して複数の軒天井１８を配設することができ、この場合にも、前記連結部２０が、前記吊下部材２１によって前記屋根（屋根パネル１２）から吊り下げられていることで下方に撓まないため、見栄えを良好とすることができる。
【００２７】
なお、前記軒天井１８の連結は、軒天井１８の対向する端部どうしを互いに係合することで行ってもよいし、軒天井１８の対向する端部それぞれに両端部で係合する連結部材によって行ってもよい。
【００２８】
請求項１０に記載の発明は、例えば図４、図５に示すように、請求項９に記載の軒天井１８の取付構造において、
前記吊下部材２１はその下端部２１ａ２に、対向する軒天井１８の端部それぞれに係合する係合部２１ｃを有し、
前記複数の軒天井１８の連結は前記係合部２１ａ２によって行われていることを特徴としている。
【００２９】
請求項１０に記載の発明によれば、前記複数の軒天井１８の連結は、前記吊下部材２１がその下端部２１ａ２に有する係合部２１ｃが、対向する軒天井１８の端部それぞれに係合することで行われている。すなわち、前記複数の軒天井１８の連結と連結部２０の屋根（屋根パネル１２）からの吊り下げとを吊下部材２１一つで同時に行うことができる。
【００３０】
請求項１１に記載の発明は、例えば図４、図５に示すように、請求項９又は請求項１０に記載の軒天井１８の取付構造において、
前記吊下部材２１は、その長さを調整可能であることを特徴としている。
【００３１】
請求項１１に記載の発明によれば、長さが調整可能である吊下部材２１によって前記軒天井１８の吊下げ高さを調整して軒天井１８の配設高さを調整可能である。したがって、前記軒先部５０の延在する方向に沿って複数の軒天井１８を連結して配設した場合における見栄えを、さらに良好とすることができる。
【００３２】
【発明の実施の形態】
以下、図１〜図５を参照して、本発明である軒天井の取付構造の実施形態について詳細に説明する。
【００３３】
〔第１の実施の形態〕
本発明に係る軒先部１０は、例えば図１、図２に示すように、パネル工法によって構築される住宅１００におけるものであり、外壁パネル１１（外壁）、屋根パネル１２（屋根）、勾配調整材１３、鼻隠１４、軒樋１５、第１の取付部材１６、第２の取付部材１７、軒天井１８、等から概略構成されている。
【００３４】
外壁パネル１１は、芯材１１ａで形成された枠体の両側面に面材１１ｂが釘等によって固定されたものである。外壁パネル１１の軒先側表面にはサイディング１１ｃ（外装面材）が胴縁１１ｄを介して釘等によって固定されている。
【００３５】
屋根パネル１２は、芯材１２ａで形成された枠体の片側面に面材１２ｂが釘等によって固定されたものである。屋根パネル１２は、軒先側に跳ね出した状態に、外壁パネル１１によって結合桁１２ｃを介して支持されている。
【００３６】
勾配調整材１３は、木材によって断面視略直角三角形に形成されたものであり、斜辺部が略垂直となるように一方の底辺部が屋根パネル１２に対して釘等によって固定されている。
【００３７】
鼻隠１４は、鋼製の薄板等によって、図２に示す形状に折曲加工されたものであり、本体部１４ａ、水切部１４ｂ、鼻隠部１４ｃから概略構成されている。
本体部１４ａにおいて、鼻隠１４の勾配調整材１３に対する釘等による固定がなされるととともに、軒樋１５の釘等による固定がなされる。
水切部１４ｂは、屋根パネル１２からの雨水等を軒樋１５に確実に流す。
鼻隠部１４ｃは、軒天井１８の軒先側端部をその下方から覆った状態とするものである。
【００３８】
鼻隠部１４ｃには、後述する第１の取付部材１６の係止部１６ｂ（係合部）より僅かに大きい取付口１４ｃ１が形成され、この取付口１４ｃ１からは鼻隠１４の延在する方向に沿って所定長さの切込部１４ｃ２（被係合部）が形成されている。
【００３９】
鼻隠部１４ｃには、軒天井裏１９に通気するための通気孔１４ｃ３が形成されており、この通気孔１４ｃ３によって、軒天井裏１９に通気されるようになっている。
【００４０】
鼻隠部１４ｃには、防火発泡材１４ｃ４が設けられている。この防火発泡材１４ｃ４は、一定温度以上となった時に発泡して、通気孔１４ｃ３を塞ぐ。この防火発泡材１４ｃ４によって火災時に軒天井裏への延焼を防止して建物の耐火性能を向上させることができるようになっている。なお、防火発泡材１４ｃ４は、既存の技術である。
【００４１】
軒樋１５は、鋼製の薄板等によって、図２に示す形状に折曲加工・組み立てがなされたものであり、鼻隠１４の本体部１４ａに固定され、屋根パネル１２からの雨水等を鼻隠１４の水切部１４ｂを経由して受ける。
【００４２】
第１の取付部材１６は、図２（ａ）に示すように、鋼製の薄板等によって断面視略コ字状に形成されたものであり、鼻隠１４に固定され、軒天井１８の軒先側端部１８ａを嵌め込み可能である。第１の取付部材１６は、図２（ｄ）にも示すように、断面略コ字状の本体部１６ａ（第１の凹状部）と、鼻隠１４に対する固定状態で上方に向けて形成される係止部１６ｂとを備えている。
【００４３】
本体部１６ａは、図２（ｃ）、図２（ｄ）に示すように、第１の取付部材１６の鼻隠１４に対する固定状態で上側に位置する部分の先端部１６ａ１が斜め上方に折曲加工されており、これにより軒天井１８を嵌め込む作業が容易となっている。
【００４４】
係止部１６ｂによって第１の取付部材１６は、図２（ｂ）に示す取付過程を経て鼻隠１４に係止された状態に取り付けられる。すなわち、第１の取付部材１６は、その係止部１６ｂが鼻隠１４の取付口１４ｃ１にわずかに挿入した状態とされた後、鼻隠１４の延在する方向に沿ってスライドされることで、係止部１６ｂと本体部１６ａとの境界部が切込部１４ｃ２に入り込む。これにより、第１の取付部材１６は、その係止部１６ｂによって鼻隠１４に係止された状態に取り付けられる。なお、第１の取付部材１６の係止部１６ｂの鼻隠１４の切込部１４ｃ２に対するスライド係入作業は、軒先部１０の延在する方向に沿って連続して複数の軒天井１８を配設して行く際に、作業員に大きな負担を生じさせずに行うことができるようになっている。
【００４５】
以上のように鼻隠１４に取り付けられた第１の取付部材１６は、図２（ｃ）、図２（ｄ）にも示すように、外壁パネル１１側に開口する位置と屋根パネル１２の表面に沿う方向に開口する位置との間で回動可能となされた状態となっている。なお、第１の取付部材１６の鼻隠１４に対する取り付けは、第１の取付部材１６が鼻隠１４によって外側に露出しない状態に隠される位置で行われており、これにより、見栄えが良好となっている。
【００４６】
第２の取付部材１７は、図１に示すように、天井取付部材１７ａ（第２の凹状部）と外壁固定部材１７ｂとから概略構成されている。
【００４７】
天井取付部材１７ａは、鋼製の薄板等によって断面視略コ字状に形成されたものであり、軒天井１８の外壁側端部１８ｂを嵌め込み可能である。天井取付部材１７ａの外壁パネル１１に対する取り付けは、以下のようにして行われている。
【００４８】
すなわち、外壁パネル１１の軒先側表面に取り付けられたサイディング１１ｃは、その上端部１１ｃ１が所定高さ、すなわち、軒天井１８が配設される高さとなるように予め工場等において取り付けられている。そして、外壁固定部材１７ｂの外壁パネル１１に対する固定は、サイディング１１ｃの上端部１１ｃ１に当接した状態で行われている。これによって、外壁固定部材１７ｂの外壁パネル１１に対する位置決めが容易に行われるようになっている。外壁固定部材１７ｂは、天井取付部材１７ａがビス等によって取り付けられ、外壁パネル１１に胴縁１７ｃを介してビス１７ｄ等によって取り付けられる。
【００４９】
軒天井１８は、合板等から構成され、前記したように、軒先側端部１８ａが、第１の取付部材１６の本体部１６ａに嵌め込み支持され、外壁パネル側端部１８ｂが、第２の取付部材１７の外壁固定部材１７ｂに嵌め込み支持される。
【００５０】
ところで、本発明に係る軒天井１８の取付構造においては、前記したように、鼻隠１４に設けられた通気孔１４ｃ３によって軒天井裏１９の通気が行われる。これにより、軒天井裏１９に通気を行うために軒天井１８を有孔板とする必要がない。したがって、軒天井１８の材料コストを低減することができるようになっている。
【００５１】
以下、本発明に係る軒先部１０の施工方法について説明する。
【００５２】
先ず、予め工場等において外壁パネル１１や屋根パネル１２を製作する。この際、外壁パネル１１の軒先部１０側表面には、上端部１１ｃ１が所定高さ、すなわち、軒天井１８が配設される高さとなるようにサイディング１１ｃを取り付けておく。
【００５３】
次に、現場において外壁パネル１１を建て込むとともに、屋根パネル１２を、軒先部１０側に跳ね出した状態に、外壁パネル１１に結合桁１２ｃを介して支持させる。
【００５４】
次に、屋根パネル１２の軒先側端部に勾配調整材１３を釘等によって固定し、この勾配調整材１３に鼻隠１４を釘等によって固定する。さらに鼻隠１４には、軒樋１５を釘等によって取り付ける。
【００５５】
次に、鼻隠１４に第１の取付部材１６を固定するとともに、外壁パネル１１に第２の取付部材１７を固定する。この際、第１の取付部材１６の鼻隠１４に対する固定や、第２の取付部材１７の外壁パネル１１に対する固定は、前記したように行われる。
【００５６】
次に、軒天井１８を、その軒先側端部１８ａを第１の取付部材１６の本体部１６ａに嵌め込むとともに、外壁パネル側端部１８ｂを下に下ろし、天井取付部材１７ａに嵌め込む。これにより軒天井１８は略水平に配設される。
【００５７】
なお、前記したように、鼻隠１４に取り付けられた第１の取付部材１６は、図２（ｃ）、図２（ｄ）にも示すように、外壁パネル１１側に開口する位置と屋根パネル１２の表面に沿う方向に開口する位置との間で回動可能となされた状態となっている。したがって、軒天井１８は、図１に示すように略水平に配設することができる他、図３に示すように、屋根パネル１２に沿っても配設することができるようになっている。この場合、第１の取付部材１６は、図１に示すものと図３に示すものとで同一である。
【００５８】
本実施の形態によれば、以下のような効果を得ることができる。
［１］軒天井１８の取り付けが、その軒先側端部１８ａが鼻隠１４に固定される第１の取付部材１６の本体部１６ａに嵌め込まれ、外壁側端部１８ｂが外壁パネル１１に固定される第２の取付部材１７の外壁固定部材１７ｂに嵌め込まれて行われる。したがって、現場や工場等において軒天井１８に野縁等の軒天井下地を取り付けることなく、これにより軒天井下地を外壁パネル１１や屋根パネル１２等に取り付けるという煩雑な現場作業を省きながら、軒天井１８を取り付けることができる。
【００５９】
［２］第１の取付部材１６に形成された係止部１６ｂと鼻隠１４に形成された切込部１４ｃ２とを互いに係合することで第１の取付部材１６を鼻隠１４に対して固定することができるため、軒天井１８の取り付けをさらに容易に行うことができる。
【００６０】
［３］本体部１６ａは、外壁パネル１１側に開口する位置と屋根パネル１２の棟部側に開口する位置との間で回動可能である。これにより、第１の取付部材１６は、軒天井１８を略水平に配設する場合と屋根パネル１２に沿って配設する場合との双方において、軒天井１８の軒先側端部１８ａを嵌め込むことができる。すなわち、第１の取付部材１６は、軒天井１８を略水平に配設する場合と屋根パネル１２に沿って配設する場合との双方において、同一の部材で対応できる。
【００６１】
［４］係止部１６ｂと切込部１４ｃ２とは、軒先の延在する方向に沿ってスライド係入することで係合している。このスライド係入作業は、軒先部１０の延在する方向に沿って連続して複数の軒天井１８を配設して行く際に、作業員に大きな負担を生じさせずに行うことができる。したがって、軒天井１８の取り付けをさらに容易に行うことができる。
【００６２】
［５］第１の取付部材１６が鼻隠１４によって外側に露出しない状態に隠されているので、見栄えを良好とすることができる。
【００６３】
［６］鼻隠１４に設けられた通気孔１４ｃ３によって軒天井裏１９の通気が行われる。これにより、軒天井裏１９に通気を行うために軒天井１８を有孔板とする必要がない。したがって、軒天井１８の材料コストを低減することができる。
【００６４】
［７］火災時には、鼻隠１４に設けられた防火発泡材１４ｃ４が発泡することで通気孔１４ｃ３が塞がれる。したがって、火災時に軒天井裏１９への延焼を防止して住宅１００の耐火性能を向上させることができる。
【００６５】
［８］外壁パネル１１の表面に予め設けられるサイディング１１ｃの上端部１１ｃ１位置を所定高さ、すなわち軒天井１８を配設する高さに設定しておくことで、このサイディング１１ｃの上端部１１ｃ１に当接した状態で行われる第２の取付部材１７の位置決めを行い、これにより第２の取付部材１７の外壁パネル１１に対する固定を迅速に行うことができる。
【００６６】
〔第２の実施の形態〕
本発明に係る軒先部５０は、例えば図４に示すように、〔第１の実施の形態〕におけるものと略同じものである。したがって、〔第１の実施の形態〕と略同一の構成については、同符合を付して説明を省略する。本実施の形態が〔第１の実施の形態〕と異なる点は、複数の軒天井１８が、軒先部５０の延在する方向に沿って連結されて配設され、複数の軒天井１８の連結部２０は、下方に撓まない状態に屋根パネル１２から吊下部材２１によって吊り下げられている点である。
【００６７】
吊下部材２１は、本体部２１ａ、固定部２１ｂ、係合部２１ｃ等から概略構成されている。
【００６８】
本体部２１ａは、鋼製の薄板等によって構成されている。
【００６９】
固定部２１ｂは、鋼製の薄板等によって構成され、本体部２１ａの上端部２１ａ１にビス２１ｂ１等によって固定されている。
【００７０】
係合部２１ｃは、図５（ｂ）にも示すように、鋼製の薄板等によって断面視略Ｔ字状に形成され、端部２１ｃ１は、軒天井１８の連結部２０にそれぞれ軒先部１０の延在する方向とは略直交方向に延在するように形成された溝１８ｃにそれぞれ係合している。係合部２１ｃには、上下方向に延在するネジ孔２１ｃ２が形成されており、本体部２１ａの下端部２１ａ２と係合部２１ｃとは、ネジ孔２１ｃ２を貫通し、ナット２１ｃ３によって締め付けられるネジ２１ｃ４によって固定されている。ネジ孔２１ｃ２が上下方向に延在しているので、吊下部材２１は上下方向に長さを調整可能である。したがって、吊下部材２１によって軒天井１８の吊下げ高さを調整して軒天井１８の配設高さを調整可能である。
【００７１】
〔第２の実施の形態〕によれば、〔第１の実施の形態〕における［１］、［２］、［４］〜［８］に記載と同様の効果を得ることができる他、以下のような効果を得ることができる。
【００７２】
［９］軒先部５０の延在する方向に沿って連結されて配設された複数の軒天井１８の連結部２０が、下方に撓まない状態に屋根パネル１２から吊下部材２１によって吊り下げられている。すなわち、軒先部５０の延在する方向に沿って連続して複数の軒天井１８を配設することができ、この場合にも、連結部２０が、吊下部材２１によって屋根パネル１２から吊り下げられていることで下方に撓まないため、見栄えを良好とすることができる。
【００７３】
［１０］複数の軒天井１８の連結は、吊下部材２１がその下端部２１ａ２に有する係合部２１ｃが、対向する軒天井１８の端部それぞれに係合することで行われている。すなわち、複数の軒天井１８の連結と連結部２０の屋根パネル１２からの吊り下げとを吊下部材２１一つで同時に行うことができる。
【００７４】
［１１］長さが調整可能である吊下部材２１によって軒天井１８の吊下げ高さを調整して軒天井１８の配設高さを調整可能である。したがって、軒先部５０の延在する方向に沿って複数の軒天井１８を連結して配設した場合における見栄えを、さらに良好とすることができる。
【００７５】
なお、本発明は、前記した各実施の形態に限定されるものではなく、本発明の趣旨を逸脱しない範囲で様々な改変が可能である。
【００７６】
【発明の効果】
請求項１に記載の発明によれば、前記軒天井の取り付けが、その軒先側端部が前記鼻隠に固定される第１の取付部材の第１の凹状部に嵌め込まれ、外壁側端部が前記外壁に固定される第２の取付部材の第２の凹状部に嵌め込まれて行われる。したがって、現場や工場等において軒天井に野縁等の軒天井下地を取り付けることなく、これにより軒天井下地を外壁や屋根等に取り付けるという煩雑な現場作業を省きながら、軒天井を取り付けることができる。
【００７７】
請求項２に記載の発明によれば、請求項１に記載の発明と同様の効果が得られることは勿論のこと、前記第１の取付部材に形成された係合部と前記鼻隠に形成された被係合部とを互いに係合することで軒天井の取り付けをさらに容易に行うことができる。
【００７８】
請求項３に記載の発明によれば、請求項２に記載の発明と同様の効果が得られることは勿論のこと、同一の前記第１の取付部材によって、軒天井を略水平に配設する場合と屋根に沿って配設する場合との双方において対応できる。
【００７９】
請求項４に記載の発明によれば、請求項２又は請求項３に記載の発明と同様の効果が得られることは勿論のこと、前記係合部と前記被係合部とをスライド係入作業は、軒先の延在する方向に沿って連続して複数の軒天井を配設して行く際に、作業員に大きな負担を生じさせずに行うことができる。したがって、軒天井の取り付けをさらに容易に行うことができる。
【００８０】
請求項５に記載の発明によれば、請求項１〜請求項４のいずれか一項に記載の発明と同様の効果が得られることは勿論のこと、前記第１の取付部材が前記鼻隠によって外側に露出しない状態に隠されているので、見栄えを良好とすることができる。
【００８１】
請求項６に記載の発明によれば、請求項１〜請求項５のいずれか一項に記載の発明と同様の効果が得られることは勿論のこと、前記鼻隠に設けられた通気孔によって軒天井裏の通気が行われるんで、軒天井裏に通気を行うために軒天井を有孔板とする必要がない。したがって、軒天井の材料コストを低減することができる。
【００８２】
請求項７に記載の発明によれば、請求項６に記載の発明と同様の効果が得られることは勿論のこと、火災時には、前記鼻隠に設けられた防火発泡材が発泡することで前記通気孔が塞がれるので、火災時に軒天井裏への延焼を防止して建物の耐火性能を向上させることができる。
【００８３】
請求項８に記載の発明によれば、請求項１〜請求項７のいずれか一項に記載の発明と同様の効果が得られることは勿論のこと、前記外壁の軒先部側表面に予め設けられる外装面材の上端部位置を所定高さ、すなわち軒天井を配設する高さに設定しておくことで、この外装面材の上端部に当接した状態で行われる前記第２の取付部材の位置決めを行い、これにより前記第２の取付部材の前記外壁に対する固定を迅速に行うことができる。
【００８４】
請求項９に記載の発明によれば、請求項１〜請求項８のいずれか一項に記載の発明と同様の効果が得られることは勿論のこと、軒先部の延在する方向に沿って連続して複数の軒天井を配設することができ、この場合にも、前記連結部が、前記吊下部材によって前記屋根から吊り下げられていることで下方に撓まないため、見栄えを良好とすることができる。
【００８５】
請求項１０に記載の発明によれば、請求項９に記載の発明と同様の効果が得られることは勿論のこと、前記複数の軒天井の連結は、前記吊下部材がその下端部に有する係合部が、対向する軒天井の端部それぞれに係合することで行われている。すなわち、前記複数の軒天井の連結と連結部の屋根からの吊り下げとを吊下部材一つで同時に行うことができる。
【００８６】
請求項１１に記載の発明によれば、請求項９又は請求項１０に記載の発明と同様の効果が得られることは勿論のこと、長さが調整可能である吊下部材によって前記軒天井の吊下げ高さを調整して軒天井の配設高さを調整可能であるので、前記軒先部の延在する方向に沿って複数の軒天井を連結して配設した場合における見栄えを、さらに良好とすることができる。
【００８７】
【図面の簡単な説明】
【図１】軒天井が略水平に配設された、本発明に係る軒先部の一例を示す断面図である。
【図２】（ａ）は、本発明に係る鼻隠及び第１の取付部材を示す斜視図であり、（ｂ）は第１の取付部材を鼻隠に取り付ける過程を示す斜視図であり、（ｃ）、（ｄ）は、鼻隠に取り付けられた状態の第１の取付部材を示す、互いに異なる位置での断面図である。
【図３】軒天井が屋根パネルに沿って配設された、本発明に係る軒先部の一例を示す断面図である。
【図４】軒天井が略水平に、軒先部の延在する方向に沿って複数配設された、本発明に係る軒先部の一例を示す断面図である。
【図５】（ａ）は、図４の軒先部のうち軒天井や吊下部材を示す斜視図であり、（ｂ）は図４の吊下部材を示す図４におけるＡ矢視図であり、（ｃ）は図４の軒天井及び軒天井の暗部に設けられた溝部を示す断面図である。
【符号の説明】
１０、５０  軒先部
１１      外壁パネル（外壁）
１２      屋根パネル（屋根）
１４      鼻隠
１６      第１の取付部材
１６ａ  本体部（第１の凹状部）
１６ｂ  係止部（係合部）
１７      第２の取付部材
１７ａ  天井取付部材（第２の凹状部）
１８      軒天井
１８ａ  軒先側端部
１８ｂ  外壁側端部
１９      軒天井裏
２０      連結部
２１      吊下部材
２１ｃ  係合部
【図１】
2004225289.tif 000003
【図２】
2004225289.tif 000004
【図３】
2004225289.tif 000005
【図４】
2004225289.tif 000006
【図５】
2004225289.tif 000007